(57)【要約】      （修正有）【課題】水中の濁水の停滞した領域で潜水作業を行う場合において、その作業域における視界を、簡易、有効かつ持続的に確保する手段の提供。【解決手段】潜水作業域Ｒ２に清水Ｗ３を供給する清水供給手段１の先端側に形成された放水面１３の全面より放水面１３に対し略垂直方向に向けて清水の供給を続けることで清水Ｗ３の流れ場を形成することにより、濁水域Ｒ１内に透明度の高い清水域Ｒ３を形成し、その清水域Ｒ３内で潜水作業を行う潜水作業方法である。放水面１３の全面から清水の供給を続けるため、清水Ｗ３の領域が濁水Ｗ２とほとんど混合しないまま維持され、一定の長さ及び大きさの透明度の高い水域（清水域Ｒ３）を濁水Ｗ２中に形成・維持する。【選択図】図１
2015098770.tif 000002
【特許請求の範囲】
【請求項１】
水中の濁水の停滞した濁水域内で潜水作業を行う潜水作業方法であって、
潜水作業域に清水を供給する清水供給手段の先端側に形成された放水面の全面より該放水面に対し略垂直方向に向けて清水の供給を続けることで前記清水の流れ場を形成することにより、前記濁水域内に清水域を形成し、該清水域内で潜水作業を行う潜水作業方法。
【請求項２】
前記清水の供給を略均一な流速で行う請求項１記載の潜水作業方法。
【請求項３】
レイノルズ数が6,000〜16,000になるように調整しながら清水の供給を行う請求項１又は請求項２記載の潜水作業方法。
【請求項４】
前記清水域の流れ方向に対する横断面の大きさが前記放水面の大きさと略同一である請求項１〜３のいずれか一項記載の潜水作業方法。
【請求項５】
前記放水面の最長幅が0.5〜20mの範囲である請求項１〜４のいずれか一項記載の潜水作業方法。
【発明の詳細な説明】
【技術分野】
【０００１】
本発明は、水中の濁水の停滞した濁水域内で潜水作業を行う潜水作業方法などに関連する。より詳細には、潜水作業域に清水を供給する清水供給手段の先端側に形成された放水面の全面より該放水面に対し略垂直方向に向けて清水の供給を続けることで清水の流れ場を形成することにより、濁水域内に清水域を形成し、その清水域内で潜水作業を行う潜水作業方法などに関連する。
【背景技術】
【０００２】
水中調査、水中工事、水中環境保全、水中構造物の保守・メンテナンスなどにおいては、水中・水底などにおける作業、即ち潜水作業が欠かせない。
【０００３】
また、近年、ダム建設に適した地点が少なくなっていることに加え、社会的・経済的要因からも、新規ダムの建設が難しくなっている。一方、既存ダムでも、老朽化が進んでおり、地震や異常出水に対する懸念が出始めている。そこで、新規にダムを建設するのではなく、ダム堤体や放流施設などの補修・改修・増強、ダムの湖底の掘削など、既存のダムを再開発することにより、治水・利水機能を強化若しくは新たに付加し、既存のダムを長期間有効に利用することが図られている。このダム再開発事業においても、潜水作業が必須であり、今後も潜水作業の重要性がより高まることが予想される。
【０００４】
なお、先行文献として、例えば、特許文献１には、操縦席付近から清澄水を吐出するによって操縦席から作業用アタッチメントに至るまでの水域を確保する水流発生装置を設けた水中作業機が記載されている。
【特許文献１】特開平8-311920号公報
【発明の開示】
【発明が解決しようとする課題】
【０００５】
例えば、調査・工事などの事業において、水中の濁水の停滞した領域で潜水作業を行う必要がある場合、潜水作業に必要な視界が濁りにより充分に確保できないため、水中作業が困難化・非効率化する。そのため、この水中の濁りは、事業全体における工程遅延、コストの高騰の要因の一つともなっている。
【０００６】
そこで、本発明は、水中の濁水の停滞した領域で潜水作業を行う場合などにおいて、その作業域における視界を、簡易、有効かつ持続的に確保しうる手段を提供することなどを目的とする。
【課題を解決するための手段】
【０００７】
本発明は、水中の濁水の停滞した濁水域内で潜水作業を行う潜水作業方法であって、潜水作業域に清水を供給する清水供給手段の先端側に形成された放水面の全面より該放水面に対し略垂直方向に向けて清水の供給を続けることで前記清水の流れ場を形成することにより、前記濁水域内に清水域を形成し、該清水域内で潜水作業を行う潜水作業方法を提供する。
【０００８】
本発明では、清水供給手段の放水面の全面より該放水面に対し略垂直方向に向けて清水の供給を続けることで清水の流れ場を形成するため、清水と濁水が混じりにくく、清水の流れ場が濁水とほとんど混合しないまま維持され、一定の長さ及び大きさの透明度の高い水域（清水域）を濁水中に形成できる。これにより、潜水作業域における視界の確保を有効に実現できるため、潜水作業を行う際の負担・危険性を軽減でき、潜水作業を容易かつ効率的に行うことができる。
【０００９】
そして、例えば、潜水作業中、潜水作業域に清水の供給を続けることにより、長時間持続して、濁水中に清水域を形成できる。また、例えば、潜水作業により清水の流れ場が一次的に乱れた場合でも、潜水作業域に清水の供給を続けることで流れが修復されるため、一定の長さ及び大きさの清水域を形成したまま維持できる。
【００１０】
加えて、例えば、深い水域で潜水作業を行う場合でも、放水面の全面からその放水面に対し略垂直方向に向けて清水の供給を続け、清水の流れ場を形成することにより潜水作業域に透明度の高い水域を形成できるため、複雑な装置・工程などを必要とせず、比較的簡易かつ低廉に潜水作業域における視界の確保を実現できる。これにより、事業全体における工程遅延、コストの高騰なども抑止できる。
【発明の効果】
【００１１】
本発明により、水中の濁水の停滞した領域で潜水作業を行う場合において、その作業領域における視界を、簡易、有効かつ持続的に確保できる。
【発明を実施するための最良の形態】
【００１２】
以下、本発明の実施形態の例を、図１を用いて説明する。なお、本発明は、これらの実施形態のみに狭く限定されない。
【００１３】
図１は、本発明に係る潜水作業方法の例を示す縦断面方向概略図である。
【００１４】
図１では、土木構造物Ａの構築により水Ｗが堰き止められ、水面Ｗ１の高さまで水Ｗが貯留するとともに、濁水Ｗ２の停滞した濁水領域Ｒ１が形成されている。
【００１５】
例えば、図１のように、土木構造物Ａのある程度の水深の部分における壁面Ａ１近傍で潜水作業を行う場合、清水供給手段１により潜水作業域Ｒ２に清水Ｗ３の供給を続け、清水Ｗ３の流れ場を形成することにより、濁水域Ｒ２内に清水域Ｒ３を形成する。
【００１６】
潜水作業域Ｒ２を内包するように清水域Ｒ３を形成することにより、潜水作業域Ｒ２における視界の確保を実現できるため、潜水作業を行う際の負担・危険性を軽減でき、潜水作業を容易かつ効率的に行うことができる。また、潜水作業中、潜水作業域Ｒ２に清水Ｗ３の供給を続けることにより、長時間持続して、濁水Ｗ２中に清水域Ｒ３を形成できる。
【００１７】
なお、本発明は、水中の濁水の停滞した領域で行う潜水作業であればよく、図１のようなダムなどの土木構造物のほか、例えば、港湾施設・堤防・橋脚などにおける潜水作業などにも広く適用できる。また、波浪など、水の流れの比較的大きい場所で潜水作業を行う場合でも、例えば、潜水作業域Ｒ２の全周囲又はその一部に囲いなどを設置して水の流れを軽減させることにより、清水域Ｒ３を濁水Ｗ２中に形成することができ、潜水作業域Ｒ２における視界の確保を実現できる。その他、本発明における潜水作業は、潜水士Ｐなどによる作業のほか、重機・器具などを利用した水中作業全般についても広く包含される。
【００１８】
図１では、清水供給手段１は、清水Ｗ３を貯留する貯留手段１１と、その清水Ｗ３を水中へ導入する管路１２と、先端側に形成され、水Ｗ中に清水Ｗ３を放出する放水面１３とを備えている。
【００１９】
用いる清水Ｗ３は、水中の濁水Ｗ２の停滞した領域Ｒ１よりも透明度が高く、水中作業における視界を確保できる水であればよく、特に限定されない。例えば、潜水作業を行う地域の近隣の湧水などを利用してもよいし、潜水作業を行う水域の水を用いてもよい。また、採取した水をそのまま用いてもよいし、浄化処理などを施して透明度を高めてから用いてもよい。その他、ポンプなどの動力手段を用いて清水Ｗ３を採取・供給してもよい。
【００２０】
貯留手段１１は、潜水作業域Ｒ２に供給する清水Ｗ３を貯留する部位である。用いる清水Ｗ３を貯留手段１１に貯留し、管路１２を介して放水面１３へ清水Ｗ３を供給する。なお、貯留手段１１の設置は任意であり、例えば、貯留手段１１などで貯留させずに、湧水などの清水採取位置から直接又は浄化処理後、管路１２などを介して清水Ｗ３を放水面１３に供給する構成なども本発明に広く包含される。
【００２１】
例えば、貯留手段１１の設置位置を水面Ｗ１よりも高い位置にすることにより、水位差で、無動力で清水Ｗ３を貯留手段１１から潜水作業域Ｒ２に供給することができる。また、この水位差を調整することにより、送水流量を調整できる。その他、ポンプなどの動力手段を用いて潜水作業域Ｒ２に清水Ｗ３を供給したり、弁などの水量調整手段を用いて送水流量を調整したりしてもよい。
【００２２】
放水面１３は、水Ｗ中に清水Ｗ３を放出する部位である。放水面１３は、その全面より、全体として放水面１３に対し略垂直方向（例えば、図１では符号Ｘ１と同じ方向）に向けて清水の供給を続けることで清水Ｗ３の流れ場を形成できる構造であればよく、公知の技術を広く採用でき、特に限定されない。例えば、整流板、パンチングメタルなどで放水面１３の全体に略均一に水が分配されるようにしたり、網状部材などの各隙間から水を放出する構造にしたりするとともに、一つの管又は束ねられた多数の細管で管路１２を形成して放水面１３に清水Ｗ３を供給する構造にすることで、放水面１３の全面よりその放水面１３に対し略垂直方向に向けて清水Ｗ３を供給する構成にすることができる。
【００２３】
放水面１３の向き、即ち、清水Ｗ３の流れ方向Ｘ１は、目的などに応じて適宜設計可能であり、特に限定されない。例えば、図１のように、放水面１３を潜水作業域Ｒ２の下側に上向きに設置してもよいし、潜水作業域Ｒ２の上側に下向きに設置してもよい。例えば、清水Ｗ３の水温が濁水Ｗ２の水温よりも低い場合、清水Ｗ３の比重の方が高くなるため、潜水作業域Ｒ２の上側に下向きに設置し、流れを下向き方向にすることにより、より簡易に安定した清水の流れ場を形成することができる。同様に、例えば、清水Ｗ３の水温が濁水Ｗ２の水温よりも高い場合、清水Ｗ３の比重の方が低くなるため、潜水作業域Ｒ２の下側に上向きに設置し、流れを上向き方向にすることにより、より簡易に安定した清水の流れ場を形成することができる。その他、放水面１３を横向きに設置し、略水平方向の清水Ｗ３の流れ場を形成するようにしてもよい。
【００２４】
清水Ｗ３の流れ場を形成する際、放水面１３に対し略垂直方向に向けて、かつ放水面１３の全面から略均一に清水Ｗ３が供給されることが好ましい。その際、例えば、清水Ｗ３の供給を略均一な流速で行う構成にしてもよい。これにより、放水面１３に対して略垂直方向の清水Ｗ３の流れ場を安定的に形成することができる。また、例えば、放水面１３の周縁近傍の水の流速が同中心付近の水の流速と異なるように設定する場合も、放水面１３に対して略垂直方向の清水Ｗ３の流れ場を形成するように調整されている限り、放水面１３の全面から略均一に清水Ｗ３が供給される範囲内に含まれる。放水面１３に対して略垂直方向に、かつ放水面１３の全面から略均一に清水Ｗ３を供給するように適宜設定することにより、濁水と混ざりにくい清水Ｗ３の流れ場を形成することができる。
【００２５】
例えば、図１のように、土木構造物Ａの壁面Ａ１に沿って清水域Ｒ３を形成することにより、その周辺水域の流れの影響を限定できるため、より簡易かつ安定的に潜水作業域における視界を確保できる。
【００２６】
その他、例えば、濁水域Ｒ１内に複数の放水面１３を並列して設置してもよい。濁水域Ｒ１内に放水面１３を複数並列することにより、透明度の高い水域をより広く形成でき、より広い範囲の潜水作業域Ｒ２を確保できる。
【００２７】
本発明では、清水供給手段１の放水面１３の全面から放水面１３に対し略垂直方向に向けて清水Ｗ３を供給するため、原則的には、清水域Ｒ３の流れ方向に対する横断面の大きさ（符号Ｘ２）が放水面１３の大きさと略同一である。
【００２８】
従って、放水面１３の形状は、形成したい清水域Ｒ３の横断面の形状に基づいて、適宜設計でき、特に限定されない。例えば、放水面１３の形状を略円形、略楕円形、略矩形、略多角形などにすることにより、略円柱、略楕円柱、略直方体、略多角柱の形状の清水域Ｒ３を形成できる。放水面１３の形状は、例えば、放水面１３を設置した際に、土木構造物Ａの壁面Ａ１や水底などとの隙間を少なくできる点から、略矩形が好適である。放水面１３の最長幅（例えば、放水面１３を略円形状にした場合はその直径）は、0.5〜20mの範囲であることが好適であり、0.8〜15mの範囲であることがより好適であり、1.0〜10mの範囲であることが最も好適である。
【００２９】
濁水域Ｒ１は、水中の濁水の停滞した領域をいい、透明度が充分でなく、潜水作業を行うために必要な視界を充分には確保できない水域をいう。濁水域Ｒ１は、全水域又は全水深に亘って透明度が充分でない場合のみに狭く限定されるのではなく、潜水作業を行う特定の水域又は特定の水深において透明度が充分でない場合を広く包含する。本発明は、濁水域Ｒ１内の特定領域において潜水作業を行う場合に適用される。
【００３０】
潜水作業域Ｒ２は、水中における潜水作業を行う領域をいう。本発明では、潜水作業域Ｒ２は濁水域Ｒ１内の特定の領域に設定され、潜水作業域Ｒ２が清水域Ｒ３の中に内包されるように、清水Ｗ３の流れ場を形成する。
【００３１】
清水域Ｒ３は、清水供給手段１の放水面１３の全面より放水面１３に対し略垂直方向に向けて清水の供給を続けることで清水Ｗ３の流れ場を形成することにより濁水域Ｒ１内に形成された、濁水域Ｒ１よりも透明度の高い水域である。
【００３２】
清水域Ｒ３は、清水Ｗ３の供給により形成されるものであり、清水Ｗ３と濁水Ｗ２との多少の混合は生じるため、清水域Ｒ３とその周りの濁水域Ｒ１との境界は厳密には必ずしも明確にならない場合がある。しかし、本発明では、清水供給手段１の放水面１３の全面より放水面１３に対し略垂直方向に向けて清水の供給を続けることで清水Ｗ３の流れ場を形成することにより、周囲の濁水域Ｒ１とは透明度の異なる水域が実際に形成されており、かつ、少なくとも、周りの濁水域Ｒ１と比較して透明度が高く、潜水作業を行うために必要な視界が確保されている水域の範囲を清水域Ｒ３とする。
【００３３】
原則的には、清水供給手段１の放水面１３の全面より放水面１３に対し略垂直方向に向けて清水を供給することにより、放水面１３に対して略垂直方向（例えば、図１では符号Ｘ１と同じ方向）の清水Ｗ３の流れ場が形成され、放水面１３より放水面１３に対し略垂直方向（例えば、図１では符号Ｘ１と同じ方向）に向けて清水域Ｒ３が形成される。なお、本発明では、全体として放水面１３に対し略垂直方向に向けて清水Ｗ３が供給されていればよく、例えば、清水Ｗ３を供給する水域における水の流れの影響などによって、清水Ｗ３の流れ場又は清水域Ｒ３が形成された方向が変動した場合も広く包含される。
【００３４】
清水域Ｒ３の流れ方向に対する横断面（流れ方向Ｘ１に対して垂直となる面）の最長幅Ｘ２は、清水供給手段１の放水面１３の形状や供給水Ｗ３の流速などにより、放水面１３の大きさより多少変化する場合はあるものの、上述の通り、原則的には、放水面１３の大きさと略同一となる。そのため、潜水作業の内容・目的に応じて放水面の大きさを適宜設計することにより、調整できる。
【００３５】
清水域Ｒ３の流れ方向Ｘ１の長さＸ３（清水Ｗ３と濁水Ｗ２の混合の度合いが低く、濁水域Ｒ１と比較して高い透明度が維持されている範囲の長さ）は、潜水作業の内容・目的に応じ、適宜設定でき、特に限定されない。例えば、放水面１３から、少なくとも、好適には0.5〜8m、より好適には0.8〜10m、最も好適には1.0〜15mの範囲で、濁水域Ｒ１と比較して高い透明度が保持されていることが好ましい。
【００３６】
清水域Ｒ３の流れ方向Ｘ１の長さＸ３は、清水Ｗ３を潜水作業域Ｒ２に供給する際の流速及びレイノルズ数を適宜設定することにより、調整できる。例えば、潜水作業域Ｒ２に清水Ｗ３を供給する際、放水面１３から乱流を吐出しても、放水面１３の近傍の範囲で清水域Ｒ３を形成させることができる。また、例えば、放水面１３から放出する清水Ｗ３の流れのレイノルズ数を小さくすることにより、清水Ｗ３と濁水Ｗ２とを混じりにくくし、清水域Ｒ３４の流れ方向Ｘ１の長さＸ３を長くすることができる。また、さらにレイノルズ数を小さくすることにより、清水域Ｒ３を帯状にさらに長く形成することが可能である。なお、
【００３７】
例えば、レイノルズ数が6,000〜16,000になるように、より好適には、レイノルズ数が8,000〜14,000になるように調整しながら清水Ｗ３の供給を行う構成にすることにより、清水Ｗ３と濁水Ｗ２とを混じりにくくすることができ、潜水作業に必要な長さ・大きさの清水域Ｒ３を有効に形成・維持することができる。なお、一般的に、放水口幅（例えば、放水面１３の最長幅Ｘ２）や流速を大きくするとレイノルズ数は大きくなる。例えば、所定の流速においてレイノルズ数が上記の範囲よりも大きい値になるまで放水口幅を大きくした場合、潜水作業域Ｒ２への清水Ｗ３の供給量を増大させる必要があるため、潜水作業域Ｒ２における視界確保という当初の目的を充分に達成できる範囲を超えて、清水Ｗ３の確保・供給の負担が過剰となる。また、例えば、所定の放水口幅においてレイノルズ数が上記の範囲よりも大きい値になるまで流速を大きくした場合、上記の負担の増大に加え、潜水作業域Ｒ２の流れが速くなることで、潜水士Ｐの作業負担も過剰に大きくなる。
【００３８】
その他、上述の通り、潜水作業によりその水域Ｒ２の流れが一次的に乱れた場合でも、潜水作業域Ｒ２に清水Ｗ３の供給を続けることで流れが修復されるため、潜水作業中、一定の長さ（符号Ｘ３）及び大きさ（符号Ｘ２）の清水域Ｒ３を形成したまま維持できる。
【実施例１】
【００３９】
実施例１では、1/10スケールで実証実験を行った。
【００４０】
ダム湖のモデルとして、水槽に500Lの水を入れた。
【００４１】
清水供給手段として、以下のものを作製した。まず、水入れ容器に着色した水を入れ、貯留手段とした。次に、内径15mmのホースを11本束ねて管路とし、一端を水入れ容器に浸し、他端に、放水面が形成されたヘッド部材を取り付けた。ここで、ヘッド部材は、内部にパンチングメタル3枚を入れ、さらにその上にメッシュを重ね、メッシュの側を放水面とすることにより、放水面の全面から略均一に水が吐出されるようにしたものである。放水面を直径約80mmの円形に形成した。
【００４２】
水槽に清水供給手段の放水面を下向きに入れて固定した後、水入れ容器の位置を高くすることにより、水位差で、水入れ容器内の着色水を、放水面から水槽に緩徐に吐出させた。
【００４３】
その結果、着色水は水槽内の水とほとんど混合しないまま、放水面の大きさとほぼ同じ幅の水域を形成した。また、放水面からの着色した水の吐出を続けることにより、その着色水の水域は、水槽内の水とほとんど混合しないまま長時間維持された。
【００４４】
本実施例により、例えば、ダム湖内のように濁水の停滞した濁水領域において、放水面の全面から略均一に清水の流れ場が形成されるように濁水中に清水を供給することにより、透明度の高い領域が濁水とほとんど混合しないまま維持され、一定の長さ及び大きさの透明度の高い水域を濁水中に形成できること、さらには、濁水中に清水の供給を続けることにより、長時間持続して、濁水中に透明度の高い水域を形成できることが実証された。
【実施例２】
【００４５】
実施例２では、濁水中で透明度の高い水域を形成するために適したレイノルズ数を検討した。
【００４６】
スモールスケールモデルとして、深さ1,600mmの水槽内に水を入れ、カオリンが約50〜60mg/Lの濃度になるように懸濁し、濁水域を形成した。
【００４７】
清水供給手段として、200mm角、高さ300mmの直方体の容器の下面側に200mm角のパンチングメタルを1枚敷き、ホースを差込むための切欠きを形成した同寸法のパンチングメタルを上面に達するまで切欠き部分を揃えてさらに重ね入れた後、最も下面側のパンチングメタルの表面近くにまで先端部分が達するように、容器の上面側よりその切欠き部分にホースを挿し込んだものを作製した。この清水供給手段では容器の上面（即ち、一番上のパンチングメタルの上面部分）が放水面であり、放水面は200mm角の正方形に形成された。予備実験において、この清水供給手段をモデル水槽の底面に設置し、清水供給手段に清水を供給した結果、清水は複数のパンチングメタルを通過後、放水口（容器の上面側）より排出され、その際、流速を略均一にすることにより、放水口の全面から略垂直方向の清水の流れを形成し、かつ清水域の流れ方向に対する横断面の大きさが放水口の面の大きさ・形状と略同一で、一定の長さを定常的に保持した清水域を形成し維持することができた。
【００４８】
続いて、本実験では、清水の供給流量又は放水口での平均流速を調整することで、所定のレイノルズ数の清水の流れを形成した。レイノルズ数は、流速と代表長さ（放水口幅）を乗じ、その値を動粘性係数で除すことで算出した値とした。そして、放水口の設置された高さを基点とした場合の各計測高さにおける濁りの度合いを測定した。ここで、濁りの度合いは、清水供給開始前の水槽内の濁度を基準とした場合における清水供給開始後の各計測高さにおける濁りの程度を表し、清水供給開始後の各計測高さにおける濁度を清水供給開始前の水槽内の濁度で除して100を乗ずることにより取得した。
【００４９】
結果を図２に示す。図２は、清水の流れを各レイノルズ数に調整した場合において、各計測高さにおける清水供給開始後の濁りの度合い、即ち濁り具合の鉛直分布を示すグラフである。同グラフの縦軸は放水口の設置された高さを基点とした場合の計測高さを放水口の幅（200mm）で除した値（計測高さを放水口の幅に対する比率で表した値）を、横軸は清水供給開始前の水槽内の濁度を基準とした場合の濁りの度合い（％）を表し、各折れ線は各レイノルズ数での結果を表わす。
【００５０】
図２に示す通り、レイノルズ数が8,000〜14,000になるように調整して清水を供給した場合、放水口幅の5倍の計測高さの位置（本モデルでは計測高さ1,000mmの位置）においても、濁りの度合いを、清水供給開始前の30％以下に抑制することができ、濁水中で透明度の高い水域を形成し維持することができた。また、レイノルズ数が6,000〜16,000になるように調整して清水を供給した場合も、放水口幅の5倍の計測高さの位置（本モデルでは計測高さ1,000mmの位置）において、濁りの度合いを、清水供給開始前の40％程度に抑制することができた。一方、レイノルズ数が4,000以下になるように調整して清水を供給した場合、計測高さの比較的低い位置においても、濁りの度合いが上昇する傾向があり、濁水中で透明度の高い水域を形成し維持することが充分にできなかった。
【００５１】
この結果は、レイノルズ数が6,000〜16,000に、より好適には8,000〜14,000になるように調整しながら、放水口の全面より略垂直方向の清水の流れを形成することにより、放水口から略垂直方向に向けて、放水口幅の約5倍程度の高さまで、濁水中で透明度の高い水域を形成することができることを示す。
【００５２】
そして、本実験結果は、例えば、放水口幅2,000mmの放水面の全面よりその放水面に対し略垂直方向に向けて、この範囲のレイノルズ数になるように調整しながら清水の供給を続けた場合、少なくとも流れ方向約10,000mm（放水口幅の5倍）の長さまで濁水中に幅が約2,000mmの清水域を形成できること、即ち潜水作業に必要な大きさの視界の確保を実現できることを示唆する。
【産業上の利用可能性】
【００５３】
上述の通り、例えば、既存のダムを再開発する場合、潜水作業が必須である。その際、水深50mよりも下の水域での水中作業が必要な場合もあり、潜水作業に多大な費用を必要とする場合もある。一方、特に深い水域での潜水作業の場合、潜水作業に必要な視界が濁りにより充分に確保できないと、水中作業が困難となり、潜水作業を予定時間内に完了することが困難となるため、事業全体における工程遅延、コストの高騰にもつながる。
【００５４】
従来、ダム湖などでの潜水作業における視界確保の手段として、作業域の周囲に囲いなどを設置し、その中に凝集剤を投入して濁り成分を沈殿させ、その水域の透明性を高める方法が用いられる場合がある。しかし、この方法は、潜水作業により再懸濁されてその水域の透明性を維持できない、作業域が大きい場合には多量の凝集剤が必要となり多大な費用がかかるなどの問題がある。
【００５５】
それに対し、本発明では、放水面の全面から清水の流れ場が形成されるように濁水中に清水を供給することにより、潜水作業域における視界を簡易、有効、かつ持続的に確保することが可能になるため、潜水作業を行う際の作業負担・危険性を軽減でき、費用負担も低減でき、潜水作業を簡易、低廉かつ効率的に行うことができる点で、産業上有用である。
【図面の簡単な説明】
【００５６】
【図１】本発明に係る潜水作業方法の例を示す縦断面方向の概略図。
【図２】実施例２について、清水の流れを各レイノルズ数に調整した場合において、各計測高さにおける清水供給開始後の濁りの度合い、即ち濁り具合の鉛直分布を示すグラフ。
【符号の説明】
【００５７】
１            清水供給手段
１１          貯留手段
１２          管路
１３          放水面
Ａ            土木構造物
Ａ１          土木構造物の壁面
Ｐ            潜水士
Ｒ１          濁水域
Ｒ２          潜水作業域
Ｒ３          清水域
Ｗ            水
Ｗ１          水面
Ｗ２          濁水
Ｗ３          清水
Ｘ１          清水Ｗ３の流れ方向
Ｘ２          清水域Ｒ３の横断面の最長幅
Ｘ３          清水域Ｒ３の流れ方向Ｘ１の長さ
【図１】
2015098770.tif 000003
【図２】
2015098770.tif 000004